(57)【要約】【課題】蛍光ランプを効果的に冷却して発光効率を改善することができる照明器具を提供する。【解決手段】光源である蛍光ランプ２０の最冷点部２５の近傍にファン装置３０を設けるとともに、器具本体１１にファン装置３０からの空気を流す空気穴１３を設けたので、最冷点部２５を効果的に冷却することができ、蛍光ランプ２０の消費効率を改善し、発光効率を向上させることができる。【選択図】図１
2011113659.tif 000002
【特許請求の範囲】
【請求項１】
同一平面に沿って周回する主光源である蛍光ランプと、前記蛍光ランプを点灯させる点灯装置と、前記蛍光ランプおよび前記点灯装置を支持する器具本体と、前記蛍光ランプを覆うために前記器具本体に取付けられるカバーと、を有する照明器具であって、
前記蛍光ランプの最冷点部の近傍にファン装置を設けるとともに、
前記器具本体に前記ファン装置からの空気を流す空気穴を設けたことを特徴とする照明器具。
【請求項２】
前記ファン装置により前記最冷点部を集中的に冷却するためのファンカバーを前記ファン装置に設けたことを特徴とする請求項１記載の照明器具。
【請求項３】
前記ファン装置は前記点灯装置により制御され、前記蛍光ランプの点灯から一定時間経過後に前記ファン装置が駆動することを特徴とする請求項１または２記載の照明器具。
【請求項４】
前記ファン装置は、所定の温度以上で駆動することを特徴とする請求項１ないし請求項３のいずれかに記載の照明器具。
【発明の詳細な説明】
【技術分野】
【０００１】
本発明は、光源である蛍光ランプの最冷点温度を確保できる照明器具に関するものである。
【背景技術】
【０００２】
従来より、光源である蛍光ランプの最冷点温度を確保するために最冷点を冷却する冷却装置を有する照明器具がある（例えば特許文献１参照）。
図５に示すように、特許文献１に記載の照明器具１００では、光源である電球型蛍光ランプ１０１と、この電球型蛍光ランプ１０１を装着する器具本体１０２と、器具本体１０２および電球型蛍光ランプ１０１を覆うセード１０３とを有する。
【０００３】
電球型蛍光ランプ１０１は、樹脂製のカバー１０４と、カバー１０４に取付けられ内部に発光管を有する球形のグローブガラス１０５とを有する。カバー１０４は二重構造をしており、内部には発光管を固定するホルダー（図示省略）に面する空間を有する。
また、カバー１０４の上面には、対向する２対の口金ピン（図示省略）と、カバー１０４内部の空間に連通する１対の通気口１０６、１０６とが設けられている。
【０００４】
器具本体１０２は、内部に蛍光ランプ１０１を点灯させるための点灯回路１０７と、この点灯回路１０７に連結され蛍光ランプ１０１を装着するソケット１０８とを有する。また、装着された蛍光ランプ１０１の通気口１０６に対向する位置には１対の通気管１０９、１１０を有し、一方の通気管１０９には通気管１０９内部の空気を吸引するファンユニット１１１が設けられている。
【０００５】
従って、ファンユニット１１１が通気管１０９および通気口１０６を介してカバー１０４内部の空間に輻射された熱気を吸引し、通気管１１０および通気口１０６を介して外部の空気をカバー１０４内部の空間に強制的に送ることにより、ホルダーを冷却して蛍光ランプ１０１の発熱を抑える。
【先行技術文献】
【特許文献】
【０００６】
【特許文献１】特開２００７−８７８６７号公報（第２図）
【発明の概要】
【発明が解決しようとする課題】
【０００７】
しかしながら、従来の照明器具においては、ファンユニット１１１によって導入した外気によってホルダーの外面を冷却しているため、直接最冷点を冷却するものではなく、冷却効果が不十分であるという問題があった。
【０００８】
本発明は、従来の問題を解決するためになされたもので、蛍光ランプを効果的に冷却して発光効率を向上させることができる照明器具を提供することを目的とする。
【課題を解決するための手段】
【０００９】
本発明の照明器具は、同一平面に沿って周回する主光源である蛍光ランプと、前記蛍光ランプを点灯させる点灯装置と、前記蛍光ランプおよび前記点灯装置を支持する器具本体と、前記蛍光ランプを覆うために前記器具本体に取付けられるカバーと、を有する照明器具であって、前記蛍光ランプの最冷点部の近傍にファン装置を設けるとともに、前記器具本体に前記ファン装置からの空気を流す空気穴を設けた構成を有している。
【００１０】
この構成により、光源である蛍光ランプの最冷点部の近傍にファン装置を設けるとともに、器具本体にファン装置からの空気を流す空気穴を設けたので、最冷点部を効果的に冷却することができ、蛍光ランプの消費効率を改善して発光効率を向上させることができる。
【００１１】
また、本発明の照明器具は、前記ファン装置により前記最冷点部を集中的に冷却するためのファンカバーを前記ファン装置に設けた構成を有している。
この構成により、ファン装置に設けたファンカバーにより、蛍光ランプの最冷点部を集中的に冷却することができる。
【００１２】
また、本発明の照明器具は、前記ファン装置は前記点灯装置により制御され、前記蛍光ランプの点灯から一定時間経過後に前記ファン装置が駆動する構成を有している。
この構成により、ファン装置は、蛍光ランプの点灯から一定時間経過後に駆動するように点灯装置により制御されるので、消費電力を抑えるとともに、蛍光ランプの最冷点部を確実に冷却することができる。
【００１３】
さらに、本発明の照明器具は、前記ファン装置は、所定の温度以上で駆動する構成を有している。
この構成により、ファン装置は、蛍光ランプが所定の温度以上になると駆動するので、消費電力を抑えて効率よく蛍光ランプの最冷点部を冷却することができる。
【発明の効果】
【００１４】
本発明は、光源である蛍光ランプの最冷点部の近傍にファン装置を設けるとともに、器具本体にファン装置からの空気を流す空気穴を設けたので、最冷点部を効果的に冷却することができ、蛍光ランプの消費効率を改善して発光効率を向上させることができるという効果を有する照明器具を提供できる。
【図面の簡単な説明】
【００１５】
【図１】本発明に係る実施形態の照明器具を示す平面図
【図２】図１中II−II位置の拡大断面図
【図３】照明器具の制御ブロック図
【図４】ファン装置の制御を示すフローチャート
【図５】従来の冷却装置つきの照明器具の断面図
【発明を実施するための形態】
【００１６】
以下、本発明の第１実施形態の照明器具について、図面を用いて説明する。
図１に示すように、本発明に係る実施形態の照明器具１０は、点灯装置１４等を有する円板状の器具本体１１に、点灯電力供給のための一対のランプソケット１２、１２が設けられており、このランプソケット１２に主光源である例えば平面らせん状の蛍光ランプ２０を装着する。ランプソケット１２は点灯装置１４に接続されており、蛍光ランプ２０に点灯電力を供給する。
【００１７】
蛍光ランプ２０は、管状の放電路が長手方向中央部２１を始点として同一平面に沿って２重渦巻状に周回する発光管２２を有している。発光管２２の両端部にはそれぞれ口金２３、２３が取付けられており、両口金２３、２３は、発光管２２の中央部２１に対して、点対称の位置に設けられている。
【００１８】
なお、両口金２３、２３は、照射方向と反対側の裏面に設けられたブリッジ２４によって連結されている。また、各口金２３、２３には、蛍光ランプ２０の平面に直交する方向に一対のランプピン（図示省略）が一端を発光管２２の軸方向に沿って突出して設けられており、他端は発光管２２の内側端部に設けられているフィラメント（図示省略）に接続されている。
従って、ランプピンをランプソケット１２に装着することにより、蛍光ランプ２０を器具本体１１に取付けるとともに、点灯用の電力を供給する。
【００１９】
この蛍光ランプ２０は、発光管２２の両端部近傍に発光効率を左右する最冷点部２５、２５を有しており、装着された蛍光ランプ２０の最冷点部２５に対応する器具本体１１には、最冷点部２５近傍に輻射された熱気を排出するためのファン装置３０が各々設けられている。
【００２０】
図２に示すように、ファン装置３０は、送風用のファン３１と、ファンカバー３２を有している。ファンカバー３２は、例えば矩形断面の一端側が器具本体１１の下面に取付けられており、他端側は蛍光ランプ２０の最冷点部２５近傍に向かって開口３３が設けられている。ファン３１はファンカバー３２の一端側に設けられており、ファン３１に対向する器具本体１１には、空気穴１３が設けられている。
【００２１】
従って、ファン３１を回転させることにより、最冷点部２５近傍の熱気をファンカバー３２の内部に吸い込み、器具本体１１に設けられている空気穴１３から照明器具１０の外側へ排気する（図２中矢印Ａ参照）。
なお、ファンカバー３２に温度センサ１７を取付けて、蛍光ランプ２０の最冷点部２５近傍の温度を検出できるようにする。
【００２２】
次に、図３に基づいて、照明器具１０の制御ブロックについて説明する。
点灯装置１４は商用電源１５に接続されて電力の供給を受け、蛍光ランプ２０の点灯を制御する。また、点灯装置１４はマイコン１６を有しており、ファン装置３０のファン３１の駆動を制御する。
なお、マイコン１６には、蛍光ランプ２０の最冷点部２５近傍の温度を検知する温度センサ１７およびタイマー１８が接続されている。
【００２３】
次に、図４に基づいて、ファン装置３０の制御について説明する。
照明器具１０のスイッチがＯＮとなると、ファン装置３０の制御がスタートし、温度センサ１７およびタイマー１８が作動開始する（ステップＳ１）。
次いで、温度センサ１７によって検知された最冷点部２５近傍の温度が、所定の規定値以下か否かを判断する（ステップＳ２）。ステップＳ２において温度が規定値以下と判断された場合には、電源ＯＮ後所定の時間を経過したか否かを判断し（ステップＳ３）、規定時間を経過したと判断された場合にはファン３１を起動する（ステップＳ４）。所定の時間を経過していない場合には、時間を監視して、規定時間を経過した時にファン３１を起動する。
一方、ステップＳ２において温度が規定値以上と判断された場合には、ステップＳ４に移って直ちにファン３１を起動する。
【００２４】
ファン３１が作動している状態で、照明器具１０のスイッチがＯＦＦにされると（ステップＳ５）、温度センサ１７によって検知された最冷点部２５近傍の温度が、所定の規定値以下か否かを判断し（ステップＳ６）、温度が規定値以下の場合にはファン３１を停止して（ステップＳ７）、制御を終了する（ステップＳ８）。
一方、ステップＳ６において温度が規定値以上の場合には、ファン３１を作動した状態で最冷点部２５近傍の温度を監視し、温度が規定値以下になったらファン３１を停止して（ステップＳ７）、制御を終了する（ステップＳ８）。
なお、ファン３１は、照明器具１０のスイッチがＯＦＦにされたときに同時に停止してもよい。
【００２５】
以上、説明した実施形態にかかる照明器具１０によれば、主光源である蛍光ランプ２０の最冷点部２５の近傍に冷却用のファン装置３０を設けるとともに、器具本体１１にファン装置３０からの空気を流す空気穴１３を設けたので、最冷点部２５を効果的に冷却することができ、蛍光ランプ２０の消費効率を改善し、発光効率を向上させることができる。
また、ファン装置３０に設けたファンカバー３２により、蛍光ランプ２０の最冷点部２５を集中的に冷却することができる。
【００２６】
また、ファン装置３０は、蛍光ランプ２０の点灯から一定時間経過後に駆動するように点灯装置１４により制御されるので、消費電力を抑えるとともに、蛍光ランプ２０の最冷点部を確実に冷却することができる。
さらに、ファン装置３０は、蛍光ランプ２０の最冷点部２５近傍が所定の温度以上になると駆動されるので、消費電力を抑えて効率よく蛍光ランプの最冷点部を冷却することができる。
【００２７】
なお、本発明の照明器具は、前述した実施形態に限定されるものでなく、適宜な変形，改良等が可能である。
例えば、前述した実施形態においては、平面らせん状の蛍光ランプ２０において最冷点部２５が口金２３の近傍にある場合について説明したが、最冷点部が発光管２２の中央部２１にある場合にも同様に適用することができる。
また、前述した実施形態においては、蛍光ランプとして、発光管が平面らせん状のものを例示したが、発光管が直管の場合も同様に適用することができる。
【符号の説明】
【００２８】
１０  照明器具
１１  器具本体
１３  空気穴
１４  点灯装置
２０  蛍光ランプ
２５  最冷点部
３０  ファン装置
３２  ファンカバー
【図１】
2011113659.tif 000003
【図２】
2011113659.tif 000004
【図３】
2011113659.tif 000005
【図４】
2011113659.tif 000006
【図５】
2011113659.tif 000007